(57)【要約】【課題】掛止体を水栓柱に取付体により取付けることができ、掛止体の掛止部に各種の物品を掛止することができ、このため、水栓柱の使用の際に必要な手洗用石鹸、その他の小物類、散水用ホース、タオル等の各種の物品を直接又は補助具を介して水栓柱に配置することができ、それだけ、各種の物品を水栓柱の近くに整理することができると共に水栓柱の使用の利便性を高めることができる。【解決手段】各種の物品を掛止可能な掛止部を有する掛止体１と、該掛止体を水栓柱Ｍに取付可能な取付体３とを備えてなる。【選択図】　　　　図１
2004044289.tif 000002
【特許請求の範囲】
【請求項１】
各種の物品を掛止可能な掛止部を有する掛止体と、該掛止体を水栓柱に取付可能な取付体とを備えてなることを特徴とする水栓柱用物品整理具。
【請求項２】
上記取付体は上記水栓柱の蛇口に取付可能に設けられていることを特徴とする請求項１記載の水栓柱用物品整理具。
【請求項３】
上記蛇口に取付可能な取付体を上下調節自在に設けてなることを特徴とする請求項２記載の水栓柱用物品整理具。
【請求項４】
上記掛止体と上記水栓柱との間に該水栓柱のサイズに適応させるスペーサを設けてなることを特徴とする請求項１〜３のいずれか１項に記載の水栓柱用物品整理具。
【請求項５】
上記掛止部は上記掛止体の周面に設けられた複数個の掛止孔であることを特徴とする請求項１〜４のいずれか１項に記載の水栓柱用物品整理具。
【発明の詳細な説明】
【０００１】
【発明の属する技術分野】
本発明は例えば庭、車庫、公園等の屋外に設置される水栓柱に用いられる水栓柱用物品整理具に関するものである。
【０００２】
【従来の技術】
従来、屋外に給水設備を設置する場合、柱状支持体を立設し、柱状支持体内に配管材を設けると共に柱状支持体の上部に蛇口を突設してなる水栓柱を用いている。
【０００３】
【発明が解決しようとする課題】
しかしながら上記水栓柱の使用に際しては、手洗用石鹸、その他の小物類、散水用ホース、タオル等を同時に使用することがあり、よって、これら物品を別途整理保管する必要があり、このため、水栓柱の使用の際に、その都度、これら物品を水栓柱の近くに配置する必要があると共に不使用時には再び保管する必要があり、それだけ厄介であると共に使用の利便性が低下することがあるという不都合を有している。
【０００４】
【課題を解決するための手段】
本発明はこのような不都合を解決することを目的とするもので、本発明のうちで、請求項１記載の発明は、各種の物品を掛止可能な掛止部を有する掛止体と、該掛止体を水栓柱に取付可能な取付体とを備えてなることを特徴とする水栓柱用物品整理具にある。
【０００５】
又、請求項２記載の発明は、上記取付体は上記水栓柱の蛇口に取付可能に設けられていることを特徴とするものであり、又、請求項３記載の発明は、上記蛇口に取付可能な取付体を上下調節自在に設けてなることを特徴とするものであり、又、請求項４記載の発明は、上記掛止体と上記水栓柱との間に該水栓柱のサイズに適応させるスペーサを設けてなることを特徴とするものであり、又、請求項５記載の発明は、上記掛止部は上記掛止体の周面に設けられた複数個の掛止孔であることを特徴とするものである。
【０００６】
【発明の実施の形態】
図１乃至図９は本発明の実施の形態例を示し、１は掛止体であって、合成樹脂製にして、例えば屋外に設置された水栓柱Ｍに取付可能に形成され、この場合、天板１ａ、前板１ｂ及び左右の側板１ｃ・１ｃからなり、水栓柱Ｍの上面に天板１ａを載置すると共に水栓柱Ｍの両側面を側板１ｃ・１ｃで覆うようにして被嵌され、天板１ａに窓穴１ｄを形成すると共に前板１ｂに水栓柱Ｍから突設された蛇口Ｇが突出可能な開口部１ｅを形成し、かつ、掛止体１の周面に複数個の掛止孔２ａからなる掛止部２を形成している。
【０００７】
３は取付体であって、この場合、蛇口Ｇの基部を抱着可能な一対の抱持体３ａ・３ａ及び抱持体３ａ・３ａにより蛇口Ｇを締付可能なボルト３ｂ・３ｂからなり、上記掛止体１の前板１ａの左右縁部に摺動溝部１ｆ・１ｆを上下方向に形成し、各抱持体３ａ・３ａに摺動溝部１ｆ・１ｆに摺動係合可能な摺動凸部３ｃ・３ｃを形成し、これにより取付体３としての抱持体３ａ・３ａを上下調節自在に構成している。
【０００８】
４はスペーサーであって、この場合、上記掛止体１の上下左右内面の四カ所に嵌合凸部１ｇ・１ｇ・１ｇ・１ｇを形成し、スペーサー４の側面からの距離を異ならせた位置に嵌合凹部４ａを形成し、スペーサー４の嵌合凹部４ａを嵌合凸部１ｇに嵌合し、上記掛止体１の側面と上記水栓柱Ｍの側面との間にスペーサー４を配置し、水栓柱Ｍの幅サイズに適応するように構成している。
【０００９】
５は小物置き体であって、合成樹脂製にして、上板５ａ、側板５ｂ・５ｂ、底板５ｃ及び後板５ｄからなる前面を開口した四角枠状に形成され、側板５ｂ・５ｂに上記係止部２としての係止孔２ａと同様な複数個の掛止孔５ｅを形成し、かつ、側板５ｂ・５ｂ間に上下位置調節自在に棚板５ｆを掛架している。
【００１０】
６はホース巻取体であって、合成樹脂製にして、取付板６ａに巻取杆６ｂ及び止杆６ｃを一体に突出形成してなり、取付板６ａに上記係止部２としての係止孔２ａと同様な複数個の掛止孔６ｄを形成してなり、巻取杆６ｂに散水用ホースＫを巻取可能に構成している。
【００１１】
７は連結体であって、基板７ａの側面に鉤板７ｂ・７ｂを上下反対向きに突設してなり、掛止孔２ａ・５ｅに鉤板７ｂ・７ｂを引掛けることにより上記掛止体１と小物置き体５とを連結し、掛止孔５ｅ・６ｄに鉤板７ｂ・７ｂを引掛けることにより小物置き体５とホース巻取体６とを連結するように構成している。
【００１２】
この実施の形態例は上記構成であるから、掛止体１を水栓柱Ｍに取付体３により取付けることができ、掛止体１の掛止部２に各種の物品を掛止することができ、このため、水栓柱Ｍの使用の際に必要な手洗用石鹸、その他の小物類、散水用ホース、タオル等の各種の物品を直接又は補助具を介して水栓柱Ｍに配置することができ、それだけ、各種の物品を水栓柱Ｍの近くに整理することができると共に水栓柱Ｍの使用の利便性を高めることができる。
【００１３】
この場合、上記取付体３は上記水栓柱Ｍの蛇口Ｇに取付可能に設けられているから、蛇口Ｇに掛止体１を取り付けることになり、それだけ容易に掛止体１を水栓柱Ｍに取り付けることができ、又、この場合、上記蛇口Ｇに取付可能な取付体３を上下調節自在に設けてなるから、種々の水栓柱Ｍからの蛇口Ｇの突出位置に適応することができ、水栓柱Ｍのサイズに適応することができ、又、この場合、上記掛止体１と上記水栓柱Ｍとの間に水栓柱Ｍの幅サイズに適応させるスペーサ４を設けてなるから、掛止体１を種々のサイズの水栓柱Ｍに取り付けることができ、又、この場合、上記掛止部２は上記掛止体１の周面に設けられた複数個の掛止孔２ａであるから、連結体７を用いて小物置き体５やホース巻取体６等の補助具を掛止することができると共に直接他の物品を掛止することができ、一層利便性を高めることができる。
【００１４】
尚、本発明は上記実施の形態例に限られるものではなく、掛止体１、掛止部２、取付体３等の構造や形状は適宜変更して設計される。
【００１５】
【発明の効果】
本発明は上述の如く、請求項１記載の発明にあっては、掛止体を水栓柱に取付体により取付けることができ、掛止体の掛止部に各種の物品を掛止することができ、このため、水栓柱の使用の際に必要な手洗用石鹸、その他の小物類、散水用ホース、タオル等の各種の物品を直接又は補助具を介して水栓柱に配置することができ、それだけ、各種の物品を水栓柱の近くに整理することができると共に水栓柱の使用の利便性を高めることができる。
【００１６】
又、請求項２記載の発明にあっては、上記取付体は上記水栓柱の蛇口に取付可能に設けられているから、蛇口に掛止体を取り付けることになり、それだけ容易に掛止体を水栓柱に取り付けることができ、又、請求項３記載の発明にあっては、上記蛇口に取付可能な取付体を上下調節自在に設けてなるから、種々の水栓柱からの蛇口の突出位置に適応することができ、水栓柱のサイズに適応することができ、又、請求項４記載の発明にあっては、上記掛止体と上記水栓柱との間に水栓柱のサイズに適応させるスペーサを設けてなるから、掛止体を種々のサイズの水栓柱に取り付けることができ、又、請求項５記載の発明にあっては、上記掛止部は上記掛止体の周面に設けられた複数個の掛止孔であるから、例えば、連結体を用いて小物置き体やホース巻取体等の補助具を掛止することができると共に直接他の物品を掛止することができ、一層利便性を高めることができる。
【００１７】
以上の如く、所期の目的を充分達成することができる。
【図面の簡単な説明】
【図１】本発明の実施の形態例の全体斜視図である。
【図２】本発明の実施の形態例の分解斜視図である。
【図３】本発明の実施の形態例の平面図である。
【図４】本発明の実施の形態例の正面図である。
【図５】本発明の実施の形態例の断面図である。
【図６】本発明の実施の形態例の使用状態の斜視図である。
【図７】本発明の実施の形態例の使用状態の部分正面図である。
【図８】本発明の実施の形態例の使用状態の部分断面図である。
【図９】本発明の実施の形態例の部分斜視図である。
【符号の説明】
Ｍ　水栓柱
Ｇ　蛇口
１　掛止体
２　掛止部
２ａ　掛止孔
３　取付体
４　スペーサー
【図１】
2004044289.tif 000003
【図２】
2004044289.tif 000004
【図３】
2004044289.tif 000005
【図４】
2004044289.tif 000006
【図５】
2004044289.tif 000007
【図６】
2004044289.tif 000008
【図７】
2004044289.tif 000009
【図８】
2004044289.tif 000010
【図９】
2004044289.tif 000011